(57)【要約】【課題】  地毛に結び付けた人工毛を簡単に除去することができる人工毛除去用アイロン及び当該人工毛除去用アイロンを用いた人工毛除去方法の提供。【解決手段】  人工毛除去用アイロン１は、地毛に結び付けた人工毛を除去するためのアイロンであって、使用者が把持する本体部２と、本体部２から前方に延び発熱する発熱部３と、を有している。本体部２には、発熱部３の温度を調節するための温度調節部２１が設けられている。発熱部３には、前方に延び人工毛を滑らせるための滑り面３１が規定され、滑り面３１には、左右方向全幅に亘って第１案内溝３３及び第２案内溝３４が形成されている。【選択図】図１
2020133036.tif 000002
【特許請求の範囲】
【請求項１】
地毛に結び付けた人工毛を除去するための人工毛除去用アイロンであって、
使用者が把持する本体部と、
前記本体部から延出方向に延び発熱する発熱部と、を有し、
前記本体部には、前記発熱部の温度を調節するための温度調節部が設けられ、
前記発熱部には、前記延出方向に延び前記地毛及び前記人工毛を滑らせるための滑り面が規定され、
前記滑り面には、前記延出方向と直交する幅方向に案内溝が形成されていることを特徴とする人工毛除去用アイロン。
【請求項２】
前記案内溝の前記幅方向の両端部は、Ｖ字形状をなしていることを特徴とする請求項１に記載の人工毛除去用アイロン。
【請求項３】
前記案内溝の前記幅方向の両端部は、前記幅方向の中央部よりも前記延出方向及び前記幅方向に直交する深さ方向の溝深さが深くなっているとともに、前記延出方向に広がっていることを特徴とする請求項１または２に記載の人工毛除去用アイロン。
【請求項４】
前記滑り面には、前記幅方向の一端から途中まで断面がＶ字状の切欠が形成されていることを特徴とする請求項１から３のいずれか１項に記載の人工毛除去用アイロン。
【請求項５】
前記発熱部は、断面が円弧状であって前記延出方向の全長に亘って設けられた円弧部をさらに有することを特徴とする請求項１から４のいずれか１項に記載の人工毛除去用アイロン。
【請求項６】
請求項１から５のいずれか１項の人工毛除去用アイロンを用意するステップと、
前記温度調節部で前記発熱部の温度を前記人工毛の融点以上に設定するステップと、
前記人工毛と前記地毛との結び目を前記案内溝でスライドさせるステップと、
前記案内溝において、前記結び目を溶かすステップと、
前記人工毛を前記地毛から離脱させるステップと、を有することを特徴とする人工毛除去方法。
【発明の詳細な説明】
【技術分野】
【０００１】
本発明は人工毛除去用アイロン及び人工毛除去方法に関し、特に地毛に結び付けた人工毛を除去する人工毛除去用アイロン及び人工毛除去方法に関する。
【背景技術】
【０００２】
従来より、地毛に人工毛を結び付けて髪の毛のボリュームを増やす施術が広く知られている（例えば、特許文献１）。増毛の施術では、専用の器具であるスティックを用いて地毛に複数本からなる人工毛を結びつけることにより増毛を行っている。
【０００３】
人工毛を地毛に結び付けるときは地毛の生え際近傍に結び付けるが、地毛は時間の経過とともに伸びるため、結び目が生え際から離れてしまい若干の不自然さが出てくる。従って、自然な髪のボリュームを維持するためには定期的なメンテナンスが必要となる。
【０００４】
定期的なメンテナンスでは、増毛した人工毛の除去、人工毛の結び直し、散髪などの施術によって再び自然な髪のボリュームアップを図ることができる。
【先行技術文献】
【特許文献】
【０００５】
【特許文献１】特開２０１３−１２４４２０号公報
【発明の概要】
【発明が解決しようとする課題】
【０００６】
しかしながら、メンテナンスにおける人工毛の除去作業では、特許文献１に記載されているようなスティックを用いて１本ずつ施術者が地毛から人工毛を解いていたため、作業に膨大な時間が掛かっていた。また、人工毛は、シャンプー等で抜け落ちないようにある程度の強度で地毛に結び付けられいるため、細かい作業となり作業者への負担が大きかった。
【０００７】
そこで、本発明は、地毛に結び付けた人工毛を簡単に除去することができる人工毛除去用アイロン及び当該人工毛除去用アイロンを用いた人工毛除去方法を提供することを目的とする。
【課題を解決するための手段】
【０００８】
上記課題を解決するために第１の発明は、地毛に結び付けた人工毛を除去するための人工毛除去用アイロンであって、使用者が把持する本体部と、前記本体部から延出方向に延び発熱する発熱部と、を有し、前記本体部には、前記発熱部の温度を調節するための温度調節部が設けられ、前記発熱部には、前記延出方向に延び前記人工毛を滑らせるための滑り面が規定され、前記滑り面には、前記延出方向と直交する幅方向に案内溝が形成されていることを特徴とする人工毛除去用アイロンを提供している。
【０００９】
第２の発明では、第１の発明に記載された人工毛除去アイロンであって、前記案内溝の前記幅方向の両端部は、Ｖ字形状をなしていることを特徴とする請求項１に記載の人工毛除去用アイロン。
【００１０】
第３の発明では、第１の発明または第２の発明に記載された人工毛除去アイロンであって、前記案内溝の前記幅方向の両端部は、前記幅方向の中央部よりも前記延出方向及び前記幅方向に直交する深さ方向の溝深さが深くなっているとともに、前記延出方向に広がっていることを特徴としている。
【００１１】
第４の発明では、第１の発明から第３の発明のいずれかに記載された人工毛除去アイロンであって、前記滑り面には、前記幅方向の一端から途中まで断面がＶ字状の切欠が形成されていることを特徴としている。
【００１２】
第５の発明では、第１の発明から第４の発明のいずれかに記載された人工毛除去アイロンであって、前記発熱部は、断面が円弧状であって前記延出方向の全長に亘って設けられた円弧部をさらに有することを特徴としている。
【００１３】
第６の発明では、第１の発明から第５の発明いずれかに記載された人工毛除去用アイロンを用意するステップと、前記温度調節部で前記発熱部の温度を前記人工毛の融点以上に設定するステップと、前記人工毛と前記地毛との結び目を前記案内溝でスライドさせるステップと、前記案内溝において、前記結び目を溶かすステップと、前記人工毛を前記地毛から離脱させるステップと、を有することを特徴とする人工毛除去方法を提供している。
【００１４】
本発明によると、地毛に結び付けた人工毛を簡単に除去することができる人工毛除去用アイロン及び当該人工毛除去用アイロンを用いた人工毛除去方法を提供することができる。
【発明の効果】
【００１５】
第１の発明によると、人工毛を結び付けた地毛の結び目部分を案内溝で複数回スライドさせることにより、発熱部の熱で人工毛と地毛との結び目部分を溶かし、人工毛を地毛から除去することができる。これにより、１本ずつ人工毛を地毛から解くという作業と比較して、人工毛の除去時間を大幅に短縮することができる。また、案内溝が幅方向全幅に亘って形成されているため、結び目が案内溝から離脱することなく、人工毛の一端を把持した状態で安定して案内溝内をスライドさせることができる。さらに、人工毛と地毛との結び目を案内溝内でスライドさせることにより発熱部の熱を伝達するため、溝が形成されていない平面で熱を伝える場合と比較して効率的に結び目に熱を伝えることができる。換言すると、結び目には、平面からだけではなく溝の周囲から全体的に熱が伝わるため、人工毛の除去時間をさらに短縮することができる。また、案内溝が延出方向と直交する幅方向に形成されているため、施術者が一方の手で本体部を把持した状態で他方の手で人工毛を把持し、本体部を人工毛に沿ってスライドさせることで案内溝を介して人工毛を溶かすことができる。さらに、本体部には温度調節部が設けられているため、人工毛の融点温度に応じて、発熱部の温度を任意に設定することができる。髪の毛の融点は２８０℃となっているため、発熱部の温度は人工毛の融点よりも高く髪の毛の融点よりも低いことが好ましい。
【００１６】
第２の発明によると、案内溝の断面形状がＶ字形状をなしているため、人工毛を案内溝で捉え易くなり人工毛除去の作業性が向上する。また、両端部がＶ字形状となっているため、施術者の利き手が右でも左でも同じように作業を行うことができる。換言すると、右利きの施術者が本体部を把持した場合は延出方向が左方向となりＶ字形状をなした一方の端部の案内溝が上を向き、左利きの施術者が本体部を把持し延出方向が右方向となってもＶ字形状をなした他方の端部が上を向くこととなる。
【００１７】
第３の発明によると、中央部分が両端部よりも深さが浅くなっているため、当該浅くなっている部分で人工毛の結び目に効率的に熱を伝えることができる。換言すると、当該浅くなっている部分では人工毛は案内溝の底とより強く接触するため、発熱部の熱が人工毛に効率的に伝達される。また、案内溝の両端部は延出方向に広がっているため、人工毛の結び目を捉え易くなっている。
【００１８】
第４の発明によると、滑り面にはＶ字状の切欠が形成されているため、切欠で人工毛の結び目を捉えて発熱部の熱を伝えることにより人工毛の結び目を溶かして用意に地毛から人工毛を除去することができる。
【００１９】
第５の発明によると、人工毛または地毛を円弧部でなぞることにより円弧部の熱が人工毛または地毛に伝達されてくせ毛をストレートにすることができる。特に、人工毛を結び付けた後はその人工毛がくせ毛のように変形している場合があるが、円弧部で当該変形箇所をなぞることで当該変形を修正しストレートな人工毛にすることができる。
【００２０】
第６の発明によると、人工毛と地毛との結び目を案内溝でスライドさせることにより、効率的に発熱部の熱を人工毛の結び目に伝達し人工毛を地毛から除去することができる。これにより、簡易な方法で地毛に結び付けられた人工毛を除去することができる。
【００２１】
このような構成によると、簡単に地毛に結び付けた人工毛を除去することができる人工毛除去用アイロン及び当該人工毛除去用アイロンを用いた人工毛除去方法を提供することができる。
【図面の簡単な説明】
【００２２】
【図１】本発明の人工毛除去用アイロンの斜視図。
【図２】本発明の人工毛除去用アイロンの発熱部の拡大図。
【図３】本発明の人工毛除去用アイロンの発熱部の側面図。
【図４】本発明の人工毛除去用アイロンの発熱部の断面図であって、図４（ａ）は図３におけるＡ−Ａ断面の断面図であり、図４（ｂ）は図３におけるＢ−Ｂの断面図。
【図５】本発明の人工毛除去用アイロンを使用しているときの図。
【図６】本発明の人工毛除去用アイロンの発熱部の断面図であって、図６（ａ）は結び目を右端部で案内するときの断面図であり、図６（ｂ）は結び目が中央部と接触しているときの断面図。
【発明を実施するための形態】
【００２３】
本発明の第１の実施の形態による人工毛除去用アイロン１を図１乃至図６に基づき説明する。図１乃至図４に示すように、前後上下左右方向を定義する。
【００２４】
人工毛除去用アイロン１は地毛１００に結び付けた人工毛１１０を除去するためのアイロンであって、本体部２と、発熱部３と、電源コード４と、から構成される。本体部２は、使用者１０（図５）が把持する部分であって、前後方向の略中央部に温度調節部２１が設けられている。温度調節部２１は、液晶部２２と、降温部２３と、昇温部２４と、電源部２５と、を有している。
【００２５】
液晶部２２には、発熱部３の設定温度が表示され、降温部２３または昇温部２４を押下することにより発熱部３の温度を１０℃刻みで設定することができる。本実施の形態では、温度調節部２１は発熱部３を８０℃〜２６０℃までの間の任意の温度を設定することができる。なお、発熱部３の設定温度は、これに限定されない。
【００２６】
発熱部３は金属製であって、本体部２から前方に延び、平滑な滑り面３１と、円弧部３２と、を有している。発熱部３は、本体部２との接続部分の断面形状は円形であって、前後方向略中央部から後方寄りの位置において上半分が切り欠かれたような形状をなしている。当該切り欠かれた面が滑り面３１となっており、滑り面３１は前方に延びるように設けられている。前方は、本件発明の延出方向に相当する。
【００２７】
滑り面３１の前部には、第１案内溝３３と、第２案内溝３４と、が左右方向全幅に亘って直線状に形成されている。図２に示すように、第１案内溝３３は第２案内溝３４の前方に位置し、第１案内溝３３と第２案内溝３４との間に切欠３５が形成されている。第１案内溝３３及び第２案内溝３４は本発明の案内溝に相当し、左右方向は本発明の幅方向に相当する。
【００２８】
第１案内溝３３と第２案内溝３４とは略同一形状であるため、以下は第１案内溝３３についてのみ詳細に説明する。第１案内溝３３は、右端部３３Ａと、左端部３３Ｂと、右端部３３Ａと左端部３３Ｂとを繋ぐ中央部３３Ｃと、から構成される。右端部３３Ａ及び左端部３３Ｂは、本発明の両端部に相当する。
【００２９】
右端部３３Ａと左端部３３Ｂとは略同一形状であって、図３に示すように溝の形状が略Ｖ字をなしている。詳細には、右端部３３Ａ及び左端部３３Ｂ近傍の第１案内溝３３の断面は略Ｖ字形状となっている。右端部３３Ａ及び左端部３３Ｂは、図４（ｂ）に示すように、左右方向端部が最も溝深さが深く形成されており、中央部３３Ｃに向かうにつれて溝深さが浅くなる。図２（ｂ）に示すように、右端部３３Ａ及び左端部３３Ｂは、中央部３３Ｃよりも前後方向の長さが僅かに長い。
【００３０】
中央部３３Ｃは、図４（ｂ）に示すように、上下方向の溝深さが一定であって、右端部３３Ａ及び左端部３３Ｂよりも溝深さが浅い。中央部３３Ｃの断面形状は略Ｕ字状をなしている。下方向は、本発明の深さ方向に相当する。
【００３１】
切欠３５は、滑り面３１の右側端部から左側に向かって所定方向切り欠かれるように形成され、断面形状が略Ｖ字状となっている。切欠３５の右端部は、第１案内溝３３の右端部３３Ａ及び左端部３３Ｂと比較して前後方向の長さが長い。切欠３５の右端部の溝深さは、第１案内溝３３の両端部の溝深さよりも僅かに深い。
【００３２】
円弧部３２は、図４に示すように、上下方向において滑り面３１の反対側に位置し、断面形状が略円弧形状をなしている。
【００３３】
次に、人工毛除去用アイロン１の使用方法について、図５及び図６を参照して説明する。
【００３４】
電源コード４を電源に接続して電源部２５を押下し、電源を入れる。液晶部２２に初期設定の温度が表示されるため、降温部２３及び昇温部２４を押下して設定温度を人工毛１１０の融点以上とする。
【００３５】
設定温度に達した後、使用者１０は地毛１００と人工毛１１０との結び目１２０近傍に発熱部３を配置し、人工毛１１０を第１案内溝３３に入れる。このとき、図６（ａ）に示すように、右端部３３Ａによって結び目１２０を第１案内溝３３に案内する。そのまま人工毛除去用アイロン１を地毛１００に沿って矢印Ｃの方向にスライドさせることにより、結び目１２０と中央部３３Ｃとが接触し続けて発熱部３の熱が人工毛１１０の結び目１２０に伝達される。このとき、中央部３３Ｃは右端部３３Ａ及び左端部３３Ｂよりも溝深さが浅いため、地毛１００及び人工毛１１０から突出する結び目１２０は、より強く中央部３３Ｃと接触する。また、結び目１２０によって地毛１００と中央部３３Ｃとの間に僅かに隙間ができるため、地毛１００に発熱部３の熱が過剰に伝わることを抑制できる。
【００３６】
人工毛１１０は部分的に中央部３３Ｃと当接しているが、結び目１２０が膨らんでいることにより中央部３３Ｃからの熱を効率的に受け、地毛１００よりも融点の低い人工毛１１０の結び目１２０が最初に溶ける。使用者１０が人工毛１１０を引っ張り続けているため、結び目１２０の溶融と同時に人工毛１１０が地毛１００から除去される。
【００３７】
上記の説明では人工毛１１０を第１案内溝３３で案内することにより結び目１２０を溶かしたが、第２案内溝３４であっても、切欠３５であっても、同様の方法で人工毛１１０を地毛１００から除去することができる。
【００３８】
このような構成によると、人工毛１１０を結び付けた地毛１００の結び目１２０を第１案内溝３３または第２案内溝３４で複数回スライドさせることにより、発熱部３の熱で人工毛１１０と地毛１００との結び目１２０を溶かし、人工毛１１０を地毛１００から除去することができる。これにより、１本ずつ人工毛１１０を地毛１００から解くという作業と比較して、人工毛１１０の除去時間を大幅に短縮することができる。また、第１案内溝３３及び第２案内溝３４が左右方向の全幅に亘って形成されているため、結び目１２０が第１案内溝３３または第２案内溝３４から離脱することなく、人工毛１１０の一端を把持した状態で安定して第１案内溝３３または第２案内溝３４内をスライドさせることができる。さらに、結び目１２０を第１案内溝３３または第２案内溝３４内でスライドさせることにより発熱部３の熱を伝達するため、溝が形成されていない滑り面３１で熱を伝える場合と比較して効率的に結び目１２０に熱を伝えることができる。換言すると、結び目１２０には、平面からだけではなく第１案内溝３３または第２案内溝３４の周囲から全体的に熱が伝わるため、人工毛１１０の除去時間をさらに短縮することができる。また、第１案内溝３３及び第２案内溝３４が前後方向と直交する左右方向に形成されているため、施術者が一方の手で本体部２を把持した状態で他方の手で人工毛１１０を把持し、本体部２を人工毛１１０に沿ってスライドさせることで第１案内溝３３または第２案内溝３４を介して人工毛１１０を溶かすことができる。さらに、本体部２には温度調節部２１が設けられているため、人工毛１１０の融点温度に応じて、発熱部３の温度を任意に設定することができる。髪の毛の融点は２８０℃となっているため、発熱部３の温度は人工毛１１０の融点よりも高く髪の毛の融点よりも低いことが好ましい。
【００３９】
このような構成によると、第１案内溝３３及び第２案内溝３４の断面形状がＶ字形状をなしているため、人工毛１１０を第１案内溝３３及び第２案内溝３４で捉え易くなり人工毛１１０の除去の作業性が向上する。また、右端部３３Ａ及び左端部３３ＢがＶ字形状となっているため、施術者の利き手が右でも左でも同じように作業を行うことができる。換言すると、右利きの施術者が本体部２を把持した場合は発熱部３が左方向に指向しＶ字形状をなした右端部３３Ａの案内溝が上を向き、左利きの施術者が本体部２を把持し発熱部３が左向に指向したとしてもＶ字形状をなした左端部３３Ｂが上を向くこととなる。
【００４０】
このような構成によると、中央部３３Ｃが右端部３３Ａ及び左端部３３Ｂよりも深さが浅くなっているため、当該浅くなっている部分で人工毛１１０の結び目１２０に効率的に熱を伝えることができる。換言すると、当該浅くなっている部分では人工毛１１０は第１案内溝３３の底とより強く接触するため、発熱部３の熱が人工毛１１０に効率的に伝達される。また、第１案内溝３３の右端部３３Ａ及び左端部３３Ｂは前後方向に広がっているため、人工毛１１０の結び目１２０を捉え易くなっている。
【００４１】
このような構成によると、滑り面３１にはＶ字状の切欠３５が形成されているため、切欠３５で人工毛１１０の結び目１２０を捉えて発熱部３の熱を伝えることにより人工毛１１０の結び目１２０を溶かして用意に地毛１００から人工毛１１０を除去することができる。
【００４２】
このような構成によると、人工毛１１０または地毛１００を円弧部３２でなぞることにより円弧部３２の熱が人工毛１１０または地毛１００に伝達されてくせ毛をストレートにすることができる。特に、人工毛１１０を結び付けた後はその人工毛１１０がくせ毛のように変形している場合があるが、円弧部３２で当該変形箇所をなぞることで当該変形を修正しストレートな人工毛１１０にすることができる。
【００４３】
本発明による人工毛除去用アイロン及び人工毛除去方法は、上述した実施の形態に限定されず、特許請求の範囲に記載された発明の要旨の範囲内で種々の変更が可能である。
【００４４】
上述の実施の形態では、第１案内溝３３及び第２案内溝３４の端部の断面形状は略Ｖ字状であったが、これに限定されずに略Ｕ字状であってもよい。
【００４５】
上述の実施の形態では、滑り面３１に２つの案内溝が形成されていたが、これに限定されない。案内溝は１本でもよく、３本以上形成されていてもよい。
【符号の説明】
【００４６】
１      人工毛除去用アイロン
２      本体部
３      発熱部
２１    温度調節部
３１    滑り面
３２    円弧部
３３    第１案内溝
３３Ａ  右端部
３３Ｂ  左端部
３３Ｃ  中央部
３４    第２案内溝
３５    切欠
１００  地毛
１１０  人工毛
１２０  結び目
【図１】
2020133036.tif 000003
【図２】
2020133036.tif 000004
【図３】
2020133036.tif 000005
【図４】
2020133036.tif 000006
【図５】
2020133036.tif 000007
【図６】
2020133036.tif 000008